(57)【特許請求の範囲】
【請求項１】
複数のリモコンと複数のコマンダとから構成されるカラオケ用無線通信システムであって、
前記リモコンは、
赤外線を媒体として前記コマンダと通信を行う第１通信手段と、
電波を媒体として前記コマンダと通信を行う第２通信手段と、
ユーザからの各種指示を受付ける受付手段と、
自機に対応づけられている対応コマンダの識別番号を記憶する対応コマンダ識別番号記憶手段と、
自機のリモコン識別番号を記憶する自機リモコン識別番号記憶手段と、
各種制御を行う制御手段と、
を備え、
前記コマンダは、
赤外線を媒体として前記リモコンとの通信を行う第１通信手段と、
電波を媒体として前記リモコンとの通信を行う第２通信手段と、
自機のコマンダ識別番号を記憶する自機コマンダ識別番号記憶手段と、
ログイン情報を記憶するログイン情報記憶手段と、
各種制御を行う制御手段と、
を備え、
前記リモコンと前記コマンダとが対応づけられている状態において、
前記リモコンの制御手段は、ユーザからの操作を受付けたとき、第１通信手段を用いて、前記対応コマンダに対し、前記自機のリモコン識別番号を含む第１リモコン信号を送信し、
前記コマンダの制御手段は、前記第１リモコン信号を受信したとき、第２通信手段を用いて、前記自機のコマンダ識別番号を含む第１コマンダ信号を送信し、
前記リモコンの制御手段は、前記第１コマンダ信号を受信したとき、該第１コマンダ信号に含まれる前記コマンダ識別番号と前記対応コマンダ識別番号とを比較し、
一致していない状態において、
前記リモコンの制御手段は、前記対応コマンダ識別番号を有するコマンダに対し、ログイン情報を要求するための要求信号を送信し、
前記コマンダの制御手段は、前記要求信号を受信したときに、前記ログイン情報記憶手段に記憶されているログイン情報を前記リモコンに送信し、
前記リモコンの制御手段は、
受信したログイン情報を表示し、
移動させるログイン情報を選択させ、
前記選択したログイン情報の認証情報を入力させ、
前記対応コマンダ識別番号を有するコマンダに対し、前記選択されたログイン情報のうち認証されたログイン情報のみを前記第１コマンダ信号に含まれる前記コマンダ識別番号を有するコマンダに移動させることを指示する第３リモコン信号を送信し、
前記対応コマンダ識別番号記憶手段の内容を消去し、
前記コマンダとの対応づけを解除し、
前記コマンダ制御手段は、前記第３リモコン信号を受信したとき、前記ログイン情報記憶手段に記憶されているログイン情報のうち、指示されたログイン情報のみを指示された他のコマンダに移動させる、
ことを特徴とするカラオケ用無線通信システム。
【請求項２】
複数のリモコンと複数のコマンダとから構成されるカラオケ用無線通信システムにおけるカラオケ用通信方法であって、
前記リモコンは、
赤外線を媒体として前記コマンダと通信を行う第１通信手段と、
電波を媒体として前記コマンダと通信を行う第２通信手段と、
自機に対応づけられている対応コマンダの識別番号を記憶する対応コマンダ識別番号記憶手段と、
自機のリモコン識別番号を記憶する自機リモコン識別番号記憶手段と、
を備え、
前記コマンダは、
赤外線を媒体として前記リモコンとの通信を行う第１通信手段と、
電波を媒体として前記リモコンとの通信を行う第２通信手段と、
自機のコマンダ識別番号を記憶する自機コマンダ識別番号記憶手段と、
ログイン情報を記憶するログイン情報記憶手段と、
を備え、
前記リモコンと前記コマンダとが対応づけられている状態において、
前記リモコンは、ユーザからの操作を受付けたとき、第１通信手段を用いて、前記対応コマンダに対し、前記自機のリモコン識別番号を含む第１リモコン信号を送信し、
前記コマンダは、前記第１リモコン信号を受信したとき、第２通信手段を用いて、前記自機のコマンダ識別番号を含む第１コマンダ信号を送信し、
前記リモコンは、前記第１コマンダ信号を受信したとき、該第１コマンダ信号に含まれる前記コマンダ識別番号と前記対応コマンダ識別番号とを比較し、
一致していない状態において、
前記リモコンは、前記対応コマンダ識別番号を有するコマンダに対し、ログイン情報を要求するための要求信号を送信し、
前記コマンダは、前記要求信号を受信したときに、前記ログイン情報記憶手段に記憶されているログイン情報を前記リモコンに送信し、
前記リモコンは、
受信したログイン情報を表示し、
移動させるログイン情報を選択させ、
前記選択したログイン情報の認証情報を入力させ、
前記対応コマンダ識別番号を有するコマンダに対し、前記選択されたログイン情報のうち認証されたログイン情報のみを前記第１コマンダ信号に含まれる前記コマンダ識別番号を有するコマンダに移動させることを指示する第３リモコン信号を送信し、
前記対応コマンダ識別番号記憶手段の内容を消去し、
前記コマンダとの対応づけを解除し、
前記コマンダは、前記第３リモコン信号を受信したとき、前記ログイン情報記憶手段に記憶されているログイン情報のうち、指示されたログイン情報のみを指示された他のコマンダに移動させる、
ことを特徴とするカラオケ用通信方法。
【請求項３】
コマンダと通信可能なカラオケ用リモコンであって、
赤外線を媒体として前記コマンダと通信を行う第１通信手段と、
電波を媒体として前記コマンダと通信を行う第２通信手段と、
ユーザからの各種指示を受付ける受付手段と、
自機に対応づけられている対応コマンダの識別番号を記憶する対応コマンダ識別番号記憶手段と、
自機のリモコン識別番号を記憶する自機リモコン識別番号記憶手段と、
各種制御を行う制御手段と、
を備え、
前記リモコンと前記コマンダとが対応づけられている状態において、
前記制御手段は、
ユーザからの操作を受付けたとき、第１通信手段を用いて、前記対応コマンダに対し、前記自機のリモコン識別番号を含む第１リモコン信号を送信し、
送信元のコマンダの識別番号前記第１コマンダ信号を受信したとき、該第１コマンダ信号に含まれる前記コマンダ識別番号と前記対応コマンダ識別番号とを比較し、
一致していない状態において、
前記制御手段は、
前記対応コマンダ識別番号を有するコマンダに対し、ログイン情報を要求するための要求信号を送信し、
前記コマンダから送信されたログイン情報を受信し、
受信したログイン情報を表示し、
移動させるログイン情報を選択させ、
前記選択したログイン情報の認証情報を入力させ、
前記対応コマンダ識別番号を有するコマンダに対し、前記選択されたログイン情報のうち認証されたログイン情報のみを前記第１コマンダ信号に含まれる前記コマンダ識別番号を有するコマンダに移動させることを指示する第３リモコン信号を送信し、
前記対応コマンダ識別番号記憶手段の内容を消去し、
前記コマンダとの対応づけを解除する、
ことを特徴とするカラオケ用リモコン。
【発明の詳細な説明】
【技術分野】
【０００１】
本発明は、 赤外線及び電波を媒体とした無線通信システム、通信方法、リモコン等に関するものである。
【背景技術】
【０００２】
従来、リモコンを用いてカラオケ装置（コマンダ）に種々の情報（例えば、選曲情報）を送信する技術が種々提案されている。カラオケ用のリモコンとしては、赤外線を媒体にしたものが一般的であったが、送信される情報量の増加に伴い、赤外線より情報伝送量が多い電波を媒体としたもの（例えば、IEEE802.11bなどの規格による無線LAN）が普及し始めている。
【０００３】
赤外線は、通信伝送路間に障害物があると通信できないという性質を有する。そのため、カラオケボックスで使用する場合、赤外線を用いたカラオケ装置を制御する命令信号（コマンド信号）は他室に到達することはなかった。ところが、電波は、一部の障害物（例えば、一般建築物の室の壁など）を透過する性質を有する。そのため、一般建築物と同様なカラオケボックスで使用する場合、電波を用いたカラオケ装置を制御する命令信号（コマンド信号）が他室に到達することがある。
【０００４】
そのため、カラオケにおけるリモコンの通信媒体として電波を用いる場合、リモコンからの信号の受信側に該当するコマンダとの間で、くくりつけ（対応付け）を行う必要性が生まれた。例えば、「リモコンＡ」を「１号室のコマンダ（１）」のリモコンとする場合、使用前にくくりつけ動作を行う必要がある。これにより、「２号室のコマンダ（２）」は、たとえ「リモコンＡ」からの信号を受信したとしても、自機に対する命令ではないとして、該信号を破棄することができる（下記特許文献１参照）。
【０００５】
【特許文献１】特開２００６−７８７５９号公報
【発明の開示】
【発明が解決しようとする課題】
【０００６】
各部屋にリモコンを常設する形態を採用しているカラオケボックスが存在する一方で、リモコンをカウンタ（受付）で管理しておき、ユーザに対し貸し出す形態を採用しているカラオケボックスも存在する。このような形態のカラオケボックスにおいては、ユーザからリモコンが返却されると、カウンタ（受付）において、前記貸し出し後に行われたくくりつけを解除する（例えば、カウンタにいる受付者が、リモコンとコマンダの電源を切断するなどしてリセットを行う。）。これにより、次のユーザが同じリモコンを利用したとしても、新たなくくりつけ動作を行うので、他室のコマンダが制御されることはない。
【０００７】
この点について、図１及び図２に基いて説明する。
図１〜図６の受付に設置されているクレイドルは、リモコンの充電や、くくりつけ解除を行うためのアダプタである。カウンタにいる受付者がリモコンと接続することでリモコンの充電を行うことができる。また、例えば、電源オフによるリセットによってくくりつけ解除を行う。さらに、ＬＡＮ（例えば、イーサネット（登録商標））を介してコマンダに対しくくりつけ解除（くくりつけ解除指示信号送信）を行うことができる。また、図示しないＣＰＵ、ＲＯＭ、ＲＡＭ、通信Ｉ／Ｆ、充電Ｉ／Ｆを有する場合もある。
【０００８】
また、ホストは、カラオケ楽曲を記憶し、コマンダに対しカラオケ楽曲を配信したり、リモコンやコマンダそれぞれに対し識別番号（例えば製造番号やＩＰアドレス）を付与したり、前記識別番号を記憶したりするサーバである。
ここで、ホスト、コマンダとリモコンは例えばＩＰアドレスを用いたＬＡＮを介した通信で情報交換できるよう設計されており、リモコンとコマンダとの無線ＬＡＮ通信には図示しないアクセスポイントを用いたりする場合もある（アクセスポイントを用いた構成については、例えば、特開平１０−８４３４３号、図５参照）。
【０００９】
図１は、受付にあるリモコンが、くくりつけ解除された後に１号室に貸し出される様子を示した図である。このリモコンを１号室で使用する場合には、くくりつけ動作を行わないとリモコンとして機能しない。これにより、図２に示すように、１号室のリモコンが出力した電波が２号室のコマンダ２に到達しても、コマンダ２は、自機に対するコマンドではないとして、その信号を破棄する。したがって、コマンダ２は、１号室のリモコンの電波信号には反応せず、誤動作は起こらない。
【００１０】
しかしながら、１号室から返却されたリモコンが、上述したくくりつけ解除の動作を行うことなく、次のユーザに貸し出されて、そのユーザが２号室を利用し、２号室から前記リモコンの操作を開始した場合、以前のくくりつけ（すなわち、１号室に設置されたコマンダとの対応関係）が解除されていないため、そのリモコンによる信号（コマンド信号）が、他室（１号室）のコマンダで受信されてしまうおそれがある。例えば、ボリュームを大きくするための操作信号が、他室（１号室）の前記くくりつけが継続中のコマンダで受信され、他室（１号室）のカラオケ装置のボリュームが大きくなるおそれがある。
【００１１】
この点について、図３及び図４に基いて説明する。図３は、１号室に貸し出されたリモコンが、受付に返却され、受付でくくりつけ解除が行われないまま、２号室に貸し出される様子を示した図である。この場合、２号室に貸し出されたリモコンは、既にくくりつけ動作が行われているので、コマンダを操作するリモコンとして機能する。
【００１２】
そのため、図４に示すように、２号室でリモコンが操作されると、その電波信号は、コマンダ（２）は自機のものではないとして破棄されるが、１号室のコマンダ（１）に到達した場合は、自機への信号であると認識して、その操作を受け付けてしまうことになる。すなわち、くくりつけ解除の動作が行われなかったリモコンから送信される信号は、他室のコマンダに誤動作を生じさせることになる。
【００１３】
また、コマンダに個人情報を登録（ログイン）することにより、歌唱履歴、採点履歴等の管理、歌唱環境（音場等）の自動設定等を行う機能を有するカラオケシステムが存在する。このログイン情報は、コマンダ側で管理され、また、リモコン側で表示される。すなわち、リモコンは、コマンダ側に記憶されるログイン情報のブラウザとして機能する。
【００１４】
上記ログイン機能を有するカラオケシステムにおいて、リモコンとコマンダとの通信を、電波を媒体として行う場合、上述した問題点に加え、さらに、以下の問題点が生じる。
ある客室を利用していたユーザが他室移動することが想定される（例えば、他の客室の客と合流する場合等）。また、１つの客室内（１つのコマンダ）で、複数のリモコンが用いられる（すなわち、１つのコマンダに複数のリモコンがくくりつけされる）ことがある。このとき、ユーザは、リモコン自体に自身のログイン情報が記憶されていると勘違いして、リモコンを持って客室を移動することが考えられる。
【００１５】
この点につき、図５及び図６を用いて説明する。図５においては、１号室に「コマンダ１」が設置され、「リモコンα」と「リモコンβ」がくくりつけされ、また、２号室に「コマンダ２」が設置され、「リモコンγ」がくくりつけされているものとする。また、１号室には、「ユーザＡ、Ｂ、Ｃ、Ｄ、Ｅ」が在室し、また、２号室には、「ユーザＦ、Ｇ」が在室しているものとする。この状態で、「ユーザＢ、Ｄ、Ｅ」が２号室へ「リモコンβ」を持って移動した場合、「リモコンβ」は、くくりつけが解除されずに２号室に直接移動されることになる。このとき、図６に示すように、２号室で「リモコンβ」を操作しても、「コマンダ２」を制御することができない。また、「リモコンβ」からの信号が１号室の「コマンダ１」に到達した場合、「コマンダ１」は自機への制御信号であると認識して、その操作を受け付けてしまうことになる。すなわち、くくりつけ解除の動作が行われなかったリモコンから送信される信号は、他室のコマンダに誤動作を生じさせることになる。
また、「ユーザＢ、Ｄ、Ｅ」のログイン情報は、「コマンダ１」に記憶されているので、「コマンダ１」に記憶されているログイン情報のうち、「ユーザＢ、Ｄ、Ｅ」に関するもののみ「コマンダ２」に移動させる必要がある。
【００１６】
本発明は、上記問題点を解決するためになされたものであり、誤動作を防止することができ、かつ、一部のユーザがリモコンを持ったまま客室を移動したとしても、効率的にログイン情報を移動させることができる、赤外線及び電波を媒体とした無線通信システム等を提供することを目的とする。
【課題を解決するための手段】
【００１７】
本発明の一側面である請求項１に係る発明は、複数のリモコンと複数のコマンダとから構成されるカラオケ用無線通信システムであって、前記リモコンは、赤外線を媒体として前記コマンダと通信を行う第１通信手段と、電波を媒体として前記コマンダと通信を行う第２通信手段と、ユーザからの各種指示を受付ける受付手段と、自機に対応づけられている対応コマンダの識別番号を記憶する対応コマンダ識別番号記憶手段と、自機のリモコン識別番号を記憶する自機リモコン識別番号記憶手段と、各種制御を行う制御手段と、を備え、前記コマンダは、赤外線を媒体として前記リモコンとの通信を行う第１通信手段と、電波を媒体として前記リモコンとの通信を行う第２通信手段と、自機のコマンダ識別番号を記憶する自機コマンダ識別番号記憶手段と、ログイン情報を記憶するログイン情報記憶手段と、各種制御を行う制御手段と、を備え、前記リモコンと前記コマンダとが対応づけられている状態において、前記リモコンの制御手段は、ユーザからの操作を受付けたとき、第１通信手段を用いて、前記対応コマンダに対し、前記自機のリモコン識別番号を含む第１リモコン信号を送信し、前記コマンダの制御手段は、前記第１リモコン信号を受信したとき、第２通信手段を用いて、前記自機のコマンダ識別番号を含む第１コマンダ信号を送信し、前記リモコンの制御手段は、前記第１コマンダ信号を受信したとき、該第１コマンダ信号に含まれる前記コマンダ識別番号と前記対応コマンダ識別番号とを比較し、一致していない状態において、前記リモコンの制御手段は、前記対応コマンダ識別番号を有するコマンダに対し、ログイン情報を要求するための要求信号を送信し、前記コマンダの制御手段は、前記要求信号を受信したときに、前記ログイン情報記憶手段に記憶されているログイン情報を前記リモコンに送信し、前記リモコンの制御手段は、受信したログイン情報を表示し、移動させるログイン情報を選択させ、前記選択したログイン情報の認証情報を入力させ、前記対応コマンダ識別番号を有するコマンダに対し、前記選択されたログイン情報のうち認証されたログイン情報のみを前記第１コマンダ信号に含まれる前記コマンダ識別番号を有するコマンダに移動させることを指示する第３リモコン信号を送信し、前記対応コマンダ識別番号記憶手段の内容を消去し、前記コマンダとの対応づけを解除し、前記コマンダ制御手段は、前記第３リモコン信号を受信したとき、前記ログイン情報記憶手段に記憶されているログイン情報のうち、指示されたログイン情報のみを指示された他のコマンダに移動させることを特徴とする。
【００１８】
本発明の一側面である請求項２に係る発明は、複数のリモコンと複数のコマンダとから構成されるカラオケ用無線通信システムにおけるカラオケ用通信方法であって、前記リモコンは、赤外線を媒体として前記コマンダと通信を行う第１通信手段と、電波を媒体として前記コマンダと通信を行う第２通信手段と、自機に対応づけられている対応コマンダの識別番号を記憶する対応コマンダ識別番号記憶手段と、自機のリモコン識別番号を記憶する自機リモコン識別番号記憶手段と、を備え、前記コマンダは、赤外線を媒体として前記リモコンとの通信を行う第１通信手段と、電波を媒体として前記リモコンとの通信を行う第２通信手段と、自機のコマンダ識別番号を記憶する自機コマンダ識別番号記憶手段と、ログイン情報を記憶するログイン情報記憶手段と、を備え、前記リモコンと前記コマンダとが対応づけられている状態において、前記リモコンは、ユーザからの操作を受付けたとき、第１通信手段を用いて、前記対応コマンダに対し、前記自機のリモコン識別番号を含む第１リモコン信号を送信し、前記コマンダは、前記第１リモコン信号を受信したとき、第２通信手段を用いて、前記自機のコマンダ識別番号を含む第１コマンダ信号を送信し、前記リモコンは、前記第１コマンダ信号を受信したとき、該第１コマンダ信号に含まれる前記コマンダ識別番号と前記対応コマンダ識別番号とを比較し、一致していない状態において、前記リモコンは、前記対応コマンダ識別番号を有するコマンダに対し、ログイン情報を要求するための要求信号を送信し、前記コマンダは、前記要求信号を受信したときに、前記ログイン情報記憶手段に記憶されているログイン情報を前記リモコンに送信し、前記リモコンは、受信したログイン情報を表示し、移動させるログイン情報を選択させ、前記選択したログイン情報の認証情報を入力させ、前記対応コマンダ識別番号を有するコマンダに対し、前記選択されたログイン情報のうち認証されたログイン情報のみを前記第１コマンダ信号に含まれる前記コマンダ識別番号を有するコマンダに移動させることを指示する第３リモコン信号を送信し、前記対応コマンダ識別番号記憶手段の内容を消去し、前記コマンダとの対応づけを解除し、前記コマンダは、前記第３リモコン信号を受信したとき、前記ログイン情報記憶手段に記憶されているログイン情報のうち、指示されたログイン情報のみを指示された他のコマンダに移動させることを特徴とする。
【００１９】
本発明の一側面である請求項３に係る発明は、カコマンダと通信可能なカラオケ用リモコンであって、赤外線を媒体として前記コマンダと通信を行う第１通信手段と、電波を媒体として前記コマンダと通信を行う第２通信手段と、ユーザからの各種指示を受付ける受付手段と、自機に対応づけられている対応コマンダの識別番号を記憶する対応コマンダ識別番号記憶手段と、自機のリモコン識別番号を記憶する自機リモコン識別番号記憶手段と、各種制御を行う制御手段と、を備え、前記リモコンと前記コマンダとが対応づけられている状態において、前記制御手段は、ユーザからの操作を受付けたとき、第１通信手段を用いて、前記対応コマンダに対し、前記自機のリモコン識別番号を含む第１リモコン信号を送信し、送信元のコマンダの識別番号前記第１コマンダ信号を受信したとき、該第１コマンダ信号に含まれる前記コマンダ識別番号と前記対応コマンダ識別番号とを比較し、一致していない状態において、前記制御手段は、前記対応コマンダ識別番号を有するコマンダに対し、ログイン情報を要求するための要求信号を送信し、前記コマンダから送信されたログイン情報を受信し、受信したログイン情報を表示し、移動させるログイン情報を選択させ、前記選択したログイン情報の認証情報を入力させ、前記対応コマンダ識別番号を有するコマンダに対し、前記選択されたログイン情報のうち認証されたログイン情報のみを前記第１コマンダ信号に含まれる前記コマンダ識別番号を有するコマンダに移動させることを指示する第３リモコン信号を送信し、前記対応コマンダ識別番号記憶手段の内容を消去し、前記コマンダとの対応づけを解除することを特徴とする。
【発明の効果】
【００２０】
本発明によれば、赤外線通信を用いて、送信先のコマンダを認証し、認証できない場合に、リモコンとコマンダとの対応付けを解除するので、コマンダの誤動作を防止することができる。また、選択されかつ認証されたログイン情報のみを移動させるので、一部のユーザがリモコンを持ったまま客室を移動したとしても、効率的にログイン情報を移動させることができる。
【発明を実施するための最良の形態】
【００２１】
［第１実施形態］
以下、本発明を具体化した一実施形態である第１実施形態について、図面を参照しつつ詳細に説明する。
【００２２】
（システム構成）
まず、本実施形態におけるカラオケシステムのネットワーク構成について説明する。
図７は、本実施形態におけるカラオケシステムのネットワーク構成の一例を示した図である。図７に示すように、本実施形態のカラオケシステムは、各地のカラオケ店舗等に設置されたカラオケ装置１００、店舗サーバ２００、通信網、管理サーバ３００、とから基本的に構成される。
【００２３】
カラオケ装置１００は、カラオケ店舗の客室ごとに設置されている。
店舗サーバ２００は、カラオケ店舗ごとに設置されている。
カラオケ装置１００と管理サーバ３００とは、例えば、カラオケ店舗内の店舗サーバ２００を介して、通信網によって接続される。また、自店舗の店舗サーバ２００は、他店舗の店舗サーバ２００と通信網によって接続することができる。
ここで、通信網としては、有線、無線、併用どのような形態でもよく、また、インターネットを利用したＶＰＮ（Virtual Private Network）であってもよい。また、ＮＧＮ（Next Generation Network）通信網を用いてもよい。
【００２４】
次に、管理サーバ３００について説明する。
管理サーバ３００は、コントローラ３０１、楽曲データベース３０２、歌唱者情報データベース３０３、とから基本的に構成される。
コントローラ３０１は、管理サーバ３００全体を制御するものであり、プロセッサ（例えば、ＣＰＵ）によって実現される。
【００２５】
楽曲データベース３０２には、カラオケ楽曲の演奏に用いられる種々のデータが記憶されている。
楽曲データベース３０２には、例えば、楽曲ＩＤをキーとして、楽音データ、背景データ、歌手名、歌詞、等が記憶されている。
「楽曲ＩＤ」は、カラオケ楽曲ごとに付されたユニークな識別符号である。
「楽音データ」は、カラオケ楽曲の生成起源となるデータである。例えば、ＭＩＤＩデータ、ＭＰＥＧデータとすることができるが、本発明においては、楽音データのフォーマットはどのようなものであってもよい。
「背景データ」は、カラオケ楽曲の演奏中に表示される背景画像（動画、静止画）の生成起源となるデータである。本発明においては、背景データのフォーマットはどのようなものであってもよい。
「歌手名」は、カラオケ楽曲原曲の歌手名である。例えば、カラオケ楽曲の再生開始時等に表示される。
「歌詞」は、カラオケ楽曲の演奏中に表示される。楽曲再生中の歌詞表示態様については公知の種々の技術を用いることができる。
【００２６】
楽曲データベース３０２は、適宜のタイミングで更新される。例えば、所定の時間間隔で更新（例えば、日単位）してもよく、新曲が作成されるごとに更新してもよい。
【００２７】
歌唱者情報データベース３０３には、歌唱者に関する種々の情報が記憶されており、例えば、歌唱者ＩＤをキーとして、ニックネーム、認証情報、歌唱情報、住所、性別、生年月日、等が記憶されている。
【００２８】
「歌唱者ＩＤ」は、歌唱者を識別するためのユニークな識別符号である。
「ニックネーム」は、例えば、カラオケ装置１００において、種々の情報を表示する際に用いられる。ニックネームは、歌唱者自身が任意に決めることができる。
「認証情報」は、第三者による不正防止のために用いられる。認証情報は、例えば、パスワードとすることができるが、生体認証のための情報であってもよい。
「歌唱情報」は、マイク音色、マイクエコー等の設定情報であり、カラオケ歌唱時の音声入力設定情報として用いられる。
「住所」は、歌唱者の住所である。住所は、例えば、ダイレクトメールの発送の際に用いられることがある。
「性別」は、歌唱者の性別である。
「生年月日」は、歌唱者の生年月日である。
歌唱者情報データベース３０３は、適宜のタイミングで更新される。例えば、新規登録があるごとに更新することができる。
【００２９】
また、歌唱者情報は、リモコンを用いて登録することができる。また、パソコンや携帯電話を用いて登録することができる。また、プロフィール、持ち歌、歌った曲の履歴、等のカラオケ楽曲に関する情報を保存することができる。また、歌唱者情報データベース３０３の歌唱者自身の情報については、パソコン、携帯を用いてアクセスできるよう構成してもよい。また、例えば、特開２００８−５８６５５号公報等に示されるカラオケＳＮＳサービスと関連付けてもよい。
【００３０】
次に、店舗サーバ２００について説明する。
店舗サーバ２００は、通信網を介して、管理サーバ３００と通信可能である。また、カラオケ店舗内のカラオケ装置１００と通信可能である。
店舗サーバ２００は、図７に示すように、コントローラ２０１、記憶手段２０２とから基本的に構成される。
コントローラ２０１は、店舗サーバ２００全体を制御するものであり、プロセッサ（例えば、ＣＰＵ）によって実現される。
【００３１】
図７に示した構成においては、店舗サーバ２００が、各客室のコマンダ１０２とは別体として構成されているが、カラオケ店舗内のいずれかのコマンダ１０２が、店舗サーバ２００が有する機能を備えるように構成してもよい。この場合、店舗サーバ２００の機能を備えるコマンダ１０２を「親コマンダ」、該機能を有していないコマンダ１０２を「子コマンダ」とすれば、「親コマンダ」と「子コマンダ」は、マスタ−スレーブの関係とみなすことができる。そして、「子コマンダ」は、「親コマンダ」に対し、所定の要求を出力する。「親コマンダ」は、「子コマンダ」から所定の要求を受信すると、該要求に応じた処理を行う。
また、「親コマンダ」は、自己に対し、所定の要求を出力する。「親コマンダ」は、自己の要求に応じた処理を行う。
【００３２】
記憶手段２０２は、管理サーバ３００からダウンロードした所定の情報を一時的、恒久的に記憶することができる。例えば、店舗サーバ２００は、所定の楽曲データを、管理サーバ３００の楽曲データベース３０２からダウンロードする。また、コマンダ１０２からリクエストがあった楽曲は、リクエスト毎に管理サーバ３００からダウンロードしてもよく、また、店舗サーバ２００またはコマンダ１０２に一時的に記憶しておくように構成してもよい。また、一度ダウンロードした楽曲を所定時間のみ記憶するようにしてもよい。
【００３３】
次に、カラオケ装置について説明する。図８は、カラオケ装置のシステム構成の一例である。図８に示すように、カラオケ装置１００は、リモコン１０１とコマンダ１０２とから構成される。なお、複数のリモコン１０１が、コマンダ１０２と通信可能となるように構成することができる。
【００３４】
リモコン１０１は、赤外線通信Ｉ／Ｆ１１、電波通信Ｉ／Ｆ１２、ＣＰＵ１３、ＲＯＭ１４、ＲＡＭ１５、表示部１６、操作部１７、から基本的に構成される。
【００３５】
コマンダ１０２は、赤外線通信Ｉ／Ｆ２１、電波通信Ｉ／Ｆ２２、ＣＰＵ２３、ＲＯＭ２４、ＲＡＭ２５、補助記憶手段２６、映像音声再生手段２７、から基本的に構成される。
【００３６】
赤外線通信Ｉ／Ｆ１１及び赤外線Ｉ／Ｆ２１は、リモコン１０１とコマンダ１０２とが赤外線を媒体とする無線通信（以下、「赤外線通信」という。）を行うためのインタフェースである。本実施形態においては、例えば、リモコン１０１からコマンダ１０２に対し、リモコン１０１の識別番号を送信するために用いられる。
【００３７】
電波通信Ｉ／Ｆ１２及び電波Ｉ／Ｆ２２は、リモコン１０１とコマンダ１０２とが電波を媒体とする無線通信（以下、「電波通信」という。）を行うためのインタフェースである。本実施形態において、電波通信は、リモコン１０１からコマンダ１０２に対し、コマンダ１０２の操作指示信号等を送信するために用いられる。また、電波通信は、コマンダ１０２からリモコン１０１に対し、種々の信号を送信するために用いられる。また、図示しないアクセスポイントを介して情報の送受信を行ってもよい。
また、電波通信Ｉ／Ｆ１２及び電波通信Ｉ／Ｆ２２を用いることにより、図示しないホストとの間で種々の情報を送受信することも可能である。
【００３８】
ここで、それぞれのリモコン１０１及びコマンダ１０２がイーサネット（登録商標）等で接続されている場合は、それぞれの機器に対して固有のＩＰアドレスが付されている。また、ＩＰアドレスは、後述する識別番号及び所定の生成式に基いて算出することができる。
【００３９】
ＣＰＵ１３及びＣＰＵ２３は、本発明を実現するために必要なプログラムを含む種々のプログラムを実行する。ＲＯＭ１４及びＲＯＭ２４は、本発明を実現するために必要な情報を含む種々のデータを記憶する。ＲＡＭ１５及びＲＡＭ２５は、本発明を実現するために必要な情報を含む種々のデータを一時的に記憶する。
【００４０】
リモコン１０１には、表示部１６が設けられている。表示部１６には、本発明を実現するために必要な情報を含む種々の情報を表示する。
リモコン１０１には、操作部１７が設けられている。操作部１７は、表示部１６の表面にタッチパネルとして実現してもよい。
【００４１】
リモコン１０１は、ＲＡＭ１５の一部の領域を、対応コマンダ識別番号記憶部及びくくりつけ状態フラグ記憶部として用いる。対応コマンダ識別番号記憶部には、くくりつけが成立している（くくりつけ状態にある）コマンダの識別番号が記憶されている。なお、くくりつけが成立することができるコマンダの数は「１」である。すなわち、１つのリモコンは、１つのコマンダとのみ対応づけられることになる。
【００４２】
くくりつけ状態フラグ記憶部には、くくりつけ状態を示すフラグが記憶されている。例えば、該フラグが「１」のときは、くくりつけ状態にある（いずれかのコマンダとくくりつけ状態にある）ことを示し、該フラグが「０」のときはくくりつけが解除されている（いずれのコマンダともくくりつけ状態にない）ことを示すように構成してもよい。なお、フラグの値とくくりつけ状態との対応関係は適宜設定可能である。
【００４３】
また、くくり付け状態フラグを用いることなく、くくりつけ状態を判別するように構成してもよい。すなわち、対応コマンダ識別番号記憶部に、コマンダ識別番号が記憶されている場合は、くくりつけ状態にあると判断し、また、コマンダ識別番号が記憶されていない（クリアされている）場合は、くくりつけが解除されていると判断することもできる。このような態様においては、くくりつけ状態フラグ記憶部を用いる必要がない。
なお、以下においては、くくりつけ状態フラグ記憶部を用いた構成に基いて、本発明に係る実施形態を説明するが、本発明は、該実施形態に限定されるものではなく、くくりつけ状態フラグ記憶部を用いない構成についても包含する。
【００４４】
コマンダ１０２には、補助記憶手段２６が設けられている。補助記憶手段２６には、例えば、楽曲の再生に必要な音声データ及び映像データ等が記憶される。また、ゲーム等のアプリケーションデータが記憶される。
【００４５】
コマンダ１０２には、映像音声再生手段２７が設けられている。映像音声再生手段２７は、楽曲の再生及び映像の再生を行う。また、図示しないホストから送信されたデータに基いてストリーミング再生を行うことも可能である。
【００４６】
また、図示しない音声入力手段（マイク等）、映像表示手段（ディスプレイ等）が、コマンダ１０２に接続されている。また、コマンダ１０２は、採点機能を有してもよい。
【００４７】
コマンダ１０２は、ＲＡＭ２５の一部の領域を、対応リモコン識別番号記憶部及びくくりつけ状態フラグ記憶部として用いる。対応リモコン識別番号記憶部には、くくりつけが成立している（くくりつけ状態にある）リモコン１０１の識別番号が記憶されている。なお、くくりつけが成立することができるリモコン１０１の数を複数とすることができる。すなわち、１つのコマンダ１０２が、複数のコマンダ１０２と対応づけられることができる。この場合、コマンダ１０２とリモコン１０１との関係は、１対多の関係となる。この場合、対応リモコン識別番号記憶部には、複数のリモコン１０１の識別番号が記憶されることになる。
【００４８】
また、対応リモコン識別番号記憶部に、リモコン識別番号が記憶されている場合は、いずれかのリモコンとくくりつけ状態にあると判断し、また、リモコン識別番号が記憶されていない（クリアされている）場合は、くくりつけが解除されている（いずれのリモコンともくくりつけ状態にない）と判断される。
【００４９】
コマンダ１０２は、ＲＡＭ２５の一部の領域を、ログイン情報記憶部として用いる。ログイン情報記憶部には、ユーザのログイン情報が記憶される。ログイン情報は、リモコン１０１を用いて登録することができる。また、通信網を介して接続される外部の歌唱者情報データベース３０３に事前に記憶している歌唱者情報を、ログイン情報記憶部にダウンロードするように構成してもよい。
【００５０】
ここで、ログイン情報には、歌唱者ＩＤ、ニックネーム、歌唱情報、個人情報（生年月日等）が含まれる。
歌唱者ＩＤは、コマンダ１０２等がユーザを特定するために用いられる情報である。ニックネームは、リモコン１０１や図示しない映像表示手段に表示される歌唱者ＩＤに対応した情報である。ニックネームは、ユーザにとって各個人を識別し易くするための情報である。また、歌唱者ＩＤ及びニックネームは、管理サーバ３００の歌唱者情報データベース３０３に記憶されている内容と同一である。また、歌唱者ＩＤをキーとして、歌唱者情報データベース３０３から歌唱情報及び／または個人情報を取得することができる。
【００５１】
ログイン情報は、利用するコマンダのログイン情報記憶部に記憶しているため、ユーザが客室を移動（すなわち、使用するコマンダを変更）した場合は、移動した客室のコマンダにログイン情報を移動するか、または、移動した客室内のコマンダで再度ログイン情報を登録する必要がある。
【００５２】
次に、くりつけ動作及び種々の操作においてリモコン１０１とコマンダ１０２との間で送受信される情報について説明する。
図９は、リモコン１０１とコマンダ１０２との間で送受信される情報の一例について示した図である。
リモコン１０１に対しくくりつけが指示されると（１）、リモコン１０１は、リモコン１０１の識別番号を赤外線通信によって送信する（２）。
【００５３】
リモコン１０１からの識別番号を受信したコマンダ１０２は、受信したリモコン１０１の識別番号及びコマンダ１０２の識別番号からなる信号を電波通信によって送信する（３）。このとき、コマンダ１０２は、ブロードキャスト通信によって該信号を送信してもよい。
【００５４】
コマンダ１０２からの信号を受信したリモコン１０１は、受信した信号に含まれるコマンダ１０２の識別番号を対応コマンダ識別番号記憶部に記憶する（４）。また、対応コマンダ識別番号記憶部に記憶すると同時に、くくりつけ状態フラグ記憶部のフラグ値をくくりつけ状態にあることを示す値（例えば、「１」）に書き換える。
上記（１）〜（４）の処理によって、リモコン１０１とコマンダ１０２とのくくりつけが完了する。
【００５５】
（正常なくくりつけがなされている場合に送受信される情報）
くくりつけに係る処理の後、ユーザによりリモコン１０１で所定の操作（楽曲のリクエスト、ボリューム調整等）が行われると（５）、当該所定の操作に関する情報を一時的に記憶した後、リモコン１０１は、リモコン１０１の識別番号を赤外線通信によって送信する（６）。
また、上記（５）では、ログイン情報（すなわち、歌唱者）を登録することができる。
【００５６】
リモコン１０１からの識別番号を受信したコマンダ１０２は、受信したリモコン１０１の識別番号及びコマンダ１０２の識別番号を電波通信によって送信する（７）。
【００５７】
コマンダ１０２からの信号を受信したリモコン１０１は、受信した信号に含まれるコマンダ１０２の識別番号と、上記（４）で記憶した識別番号とを比較する。この比較によって、リモコン１０１にくくりつけられているコマンダ１０２と、リモコン１０１からの赤外線信号を受信したコマンダ１０２とが一致するか否かを判断する。すなわち、リモコン１０１が、同じ室内にあるコマンダ１０２と正常にくくりつけられているか否かを判断する。
【００５８】
上記（８）において正常なくくりつけがなされていると判断した場合は、リモコン１０１は、コマンダ１０２に対して、上記（５）で受付けた操作に対応する操作信号を、電波通信によって送信する（９）。
【００５９】
操作信号を受信したコマンダ１０２は、該操作信号に基いて処理を実行する（１０）。
【００６０】
上記（５）〜（１０）までの処理は、ユーザによりリモコン１０１で所定の操作が行われる毎に繰り返し行われる。
【００６１】
（正常なくくりつけがなされていない場合に送受信される情報）
次に、上記（８）で比較結果が一致していないと判断された場合（正常なくくりつけがなされていないと判断した場合）において、リモコン１０１とコマンダ１０２との間で送受信される情報について説明する。
図１０は、正常なくくりつけがなされていない場合に、リモコン１０１、コマンダＡ、コマンダＢ、管理サーバ３００の間で送受信される情報の一例について示した図である。上記（８）で正常なくくりつけがなされていないと判断された場合は、上記（９）及び（１０）に代えて、以下の（１１）〜（２５）の処理が行われる。また、図１０に示す例においては、リモコン１０１の対応コマンダ識別番号記憶部には、コマンダＡのコマンダ識別番号が記憶され（すなわち、コマンダＡとくくりつけ状態にあり）、コマンダＢに対し、上記（２）の赤外線信号を送信した（すなわち、リモコン１０１とコマンダＢとが同じ部屋に存在する）ものとする。
【００６２】
リモコン１０１は、コマンダＡ（すなわち、現時点でくくりつけ状態にあるコマンダ）に対し、該コマンダが記憶しているログイン情報を要求するためのログイン情報要求信号を、電波通信を用いて送信する（１１）。
コマンダＡは、上記ログイン要求信号を受信すると、ログイン情報記憶手段に記憶されているログイン情報を、リモコン１０１に送信する（１２）。
【００６３】
リモコン１０１は、受信したログイン情報の一部（例えば、ニックネーム）を表示する。また、ニックネームは、ユーザが選択可能な状態で表示される。表示レイアウトの例については後述する。また、移動させるログイン情報の選択を促すためのメッセージを表示してもよい。この状態において、ユーザは、移動させるログイン情報を選択する。なお、ニックネームではなく、歌唱者ＩＤを表示するよう構成してもよい。
移動させるログイン情報が選択された場合には、選択されたログイン情報のパスワードを入力させるための表示画面を出力する。また、パスワードに代えて、生体認証（例えば、指紋認証）を用いてもよい。
【００６４】
リモコン１０１は、ユーザよりログイン情報の移動指示を受け付けると（１３）、コマンダＡに対し、ログイン情報の移動を指示するログイン情報移動指示信号を、電波通信を用いて送信する（１４）。ログイン情報移動指示信号には、「上記（１３）で選択されたログイン情報に対応する歌唱者ＩＤ及びパスワード」、及び、「移動先のコマンダ識別番号」が含まれている。また、ログイン情報移動指示信号を、暗号化して送信してもよい。なお、移動先のコマンダ識別番号は、上記（７）で受信したコマンダの識別番号（図１０の例においては、コマンダＢの識別番号）である。
【００６５】
コマンダＡは、ログイン情報移動指示信号を受信すると、管理サーバ３００に対し、被認証情報を送信する（１５）。被認証情報には、「上記（１４）のログイン情報移動指示信号に含まれる歌唱者ＩＤ及びパスワード」、及び、「自機の識別番号（図１０の例では、コマンダＡの識別番号）」を含む。なお、被認証情報は、店舗サーバ２００を介して、管理サーバ３００に送信される。
【００６６】
管理サーバ３００は、被認証情報を受信すると、該被認証情報に含まれる歌唱者ＩＤ及びパスワードに基いて、該歌唱者ＩＤに対応する歌唱者の認証を行う（１６）。このとき、歌唱者情報データベース３０３が参照され、該歌唱者情報データベース３０３に記憶されている認証情報と受信したパスワードとが一致するかどうかが判断される。
【００６７】
管理サーバ３００は、認証結果を示す認証結果信号を、上記被認証情報の送信元であるコマンダ（図１０の例においては、コマンダＡ）に送信する（１７）。このとき、認証結果信号には、「認証成功」または「認証失敗」を示す情報が含まれている。
【００６８】
コマンダＡは、受信した認証結果信号が、「認証成功」を示している場合は、上記（１４）で受信したログイン情報移動指示信号に含まれるコマンダ（コマンダＢ）に対し、ログイン情報登録指示信号を、電波通信を用いて送信する（１８）。ログイン情報登録指示信号には、上記（１４）で受信したログイン情報移動指示信号に含まれる歌唱者ＩＤが含まれている。また、ログイン情報登録指示信号に含まれる歌唱者ＩＤに対応するログイン情報を、ログイン情報記憶部から削除する。これにより、移動対象となる歌唱者ＩＤは、コマンダＡから削除されることになる。
【００６９】
コマンダＢは、ログイン登録指示信号を受信すると、該ログイン登録指示信号に含まれる歌唱者ＩＤに対応するログイン情報を、自機のＲＡＭ２５上のログイン情報記憶部に記憶（登録）する（１９）。このとき、必要に応じ、歌唱者情報データベース３０３から所定のデータを取得してもよい。また、既に他の歌唱者ＩＤが記憶されている場合は、追加的に登録される。
【００７０】
コマンダＡは、リモコン１０１に対し、通知信号を、電波通信を用いて送信する（２０）。通知信号には、「認証成功」または「認証失敗」を示す情報、及び、「認証成功」の場合には、ログイン情報の移動が完了したことを示す情報が含まれる。
【００７１】
リモコン１０１は、通知信号を受信すると、該通知信号に対応する表示内容を表示部１６に出力する。具体的には、「認証が成功しログイン情報の移動が完了したことを示す内容」、または、「認証が失敗しログイン情報の移動ができなかったことを示す内容」を出力する。また、次の指示を促す表示内容を表示部１６に出力し、指示を受付可能な状態にする。例えば、「ＯＫ」、「再度パスワード入力」、「再度ログイン情報選択」等を指示するための操作を促し、該操作を受け付けるためのボタンを表示部１６に表示する。
【００７２】
リモコン１０１は、「再度パスワード入力」または「再度ログイン情報選択」に係る操作（すなわち、再入力要求信号）を受け付けると（２１）、上記（１３）に戻る（２２）。これにより、ユーザは、再度パスワードを入力したり、再度ログイン情報を選択したりすることができる。
【００７３】
また、リモコン１０１は、「ＯＫ」に係る操作（すなわち、確認信号）を受け付けると（２３）、コマンダＡに対し、くくりつけ解除を指示するくくりつけ解除指示信号を、電波通信を用いて送信する。また、くくりつけ解除指示信号には、送信元のリモコンのリモコン識別番号（図１０に示す例においては、リモコン１０１の識別番号）が含まれている。
【００７４】
コマンダＡは、くくりつけ解除指示信号を受信すると、ＲＡＭ２５の対応リモコン識別番号に記憶されているリモコン識別番号のうち、受信したくくりつけ解除指示信号に含まれるリモコン識別番号を消去する（２４）。これにより、コマンダＡは、リモコン１０１とのくくりつけが解除される。このとき、コマンダＡが、他のリモコン（例えば、リモコンＸＸＸ）ともくくりつけ状態にある場合、該リモコンＸＸＸとのくくりつけは解除されない。
【００７５】
リモコン１０１は、コマンダＡとのくくりつけ状態を解除する（２５）。具体的には、くくりつけ状態フラグ記憶部に記憶されているフラグを、くくりつけ解除を示す値（例えば、「０」）に設定する。また、対応コマンダ識別番号記憶部の内容をクリアする。
【００７６】
また、図１０に示す例において、コマンダＡに記憶されている複数の歌唱者が移動する場合においては、上記（１３）〜（２２）までの処理を、ユーザ毎に行ってもよく、また、一括して行ってもよい。
【００７７】
以下、一例として、コマンダＡには、「Ａさん」、「Ｂさん」、「Ｃさん」、「Ｄさん」、「Ｅさん」のログイン情報が記憶されており、そのうちの「Ｂさん」、「Ｃさん」、「Ｅさん」の３人のログイン情報を、コマンダＢに移動させる場合について説明する。
【００７８】
この場合、まず、「Ｂさん」がパスワードを入力したあと、上記（１３）〜（２２）までの処理を行い、次に、「Ｃさん」がパスワードを入力したあと、上記（１３）〜（２２）までの処理を行い、次に、「Ｅさん」がパスワードを入力したあと、上記（１３）〜（２２）までの処理を行うことができる。
【００７９】
また、「Ｂさん」、「Ｃさん」、「Ｅさん」がそれぞれパスワードを入力し、上記（１４）のログイン情報移動信号に、上記３人の歌唱者ＩＤ及びパスワードを含ませ、管理サーバ３００が、上記３人の認証を順次行うように構成することもできる。
このとき、例えば、「Ｃさん」のみ認証が失敗した場合には、「Ｂさん」、「Ｅさん」のログイン情報のみ上記（１８）で先にコマンダＢに送信しておき、「Ｃさん」に対しては、再度パスワードを入力させるように構成してもよい。
【００８０】
また、図１０に示した例においては、コマンダＡは、リモコン１０１からのくくりつけ解除指示信号を待って該リモコン１０１とのくくりつけを解除していたが、上記（１８）でログイン情報登録指示信号を送信したあと、くくりつけを解除するように構成してもよい。
【００８１】
（リモコン側の処理）
次に、リモコン側の処理の詳細について説明する。
図１１乃至図１３は、リモコン側の処理のフローチャートである。この処理を実行するためのプログラムは、リモコン１０１のＣＰＵ１３によって実行される。
まず、Ｓ１において、スタート画面を表示部１６に表示する。スタート画面では、「リモコンをコマンダに向けてスタートボタンを押下してください」等のメッセージが表示される。
その後、Ｓ２に移行する。
【００８２】
スタートボタンが押下されるまでＳ２で待機する。操作部１７をタッチパネルで実現した場合は、スタートボタンをタッチパネルの所定領域に設けてもよい。また、リモコン１０１の所定領域に、物理的なボタンを設けてもよい。
【００８３】
スタートボタンが押下されると（Ｓ２：ＹＥＳ）、Ｓ３に移行する。
Ｓ３において、リモコン１０１のリモコン識別番号を赤外線通信によって送信する。該リモコン識別番号として、リモコン１０１の製造シリアル番号を用いてもよい。また、図示しないホスト（または、店舗サーバ２００）によって決定されたリモコン識別番号を用いてもよい。Ｓ３で送信されたリモコン識別番号は、リモコン１０１の周囲に存在するコマンダ１０２によって受信される。
その後、Ｓ４に移行する。
【００８４】
自機（リモコン１０１）宛の電波信号を受信するまでＳ４で待機する。ここで、Ｓ４での待機時間が所定時間を越えた場合は、周囲のコマンダに赤外線信号（リモコン識別番号）が送信できなかったものとしてＳ２に戻るように構成してもよい。
【００８５】
自機宛の電波信号を受信した場合は（Ｓ４：ＹＥＳ）、Ｓ５に移行する。ここで、受信した電波信号は、上記赤外線信号を受信したコマンダ１０２から送信されたものである。また、該電波信号には、コマンダ１０２が受信したリモコン識別番号と該コマンダ１０２のコマンダ識別番号が含まれている。
【００８６】
Ｓ５において、受信した電波信号に含まれるコマンダ識別番号は、ＲＡＭ１５（対応コマンダ識別番号記憶部）に記憶される。また、くくりつけ状態フラグ記憶部のフラグ値をくくりつけ状態にあることを示す値（例えば、「１」）に書き換える。これにより、リモコン１０１は、該コマンダ識別番号を有するコマンダ１０２とくくりつけが行われたことになる。
その後、Ｓ６に移行する。
【００８７】
Ｓ６において、操作メニューを表示部１６に表示する。操作メニュー上では、楽曲の検索、リクエスト、ゲーム、ニュース等の情報提示、飲食の注文等が可能である。また、再生中の楽曲の早送り、ボリューム調整等の操作も可能である。また、コマンダ１０２に対するログイン情報の登録についても可能である。
【００８８】
操作が行われるまでＳ７（図１２）で待機する。
【００８９】
操作が行われると（Ｓ７：ＹＥＳ）、Ｓ８に移行する。Ｓ８において、リモコン１０１のリモコン識別番号を赤外線通信によって送信する。また、Ｓ７で操作された操作内容に関する情報は、ＲＡＭ１５に記憶される。
【００９０】
自機（リモコン１０１）宛の電波信号を受信するまでＳ９で待機する。ここで、Ｓ９での待機時間が所定時間を越えた場合は、周囲のコマンダに赤外線信号（リモコン識別番号）が送信できなかったものとしてＳ７に戻るように構成してもよい。
【００９１】
自機宛の電波信号を受信した場合は（Ｓ９：ＹＥＳ）、Ｓ１０に移行する。ここで、受信した電波信号は、上記赤外線信号を受信したコマンダ１０２から送信されたものである。また、該電波信号には、コマンダ１０２が受信したリモコン識別番号と該コマンダ１０２のコマンダ識別番号が含まれている。
【００９２】
Ｓ１０において、受信した電波信号に含まれるコマンダ識別番号を取得する。取得されたコマンダ識別番号はＲＡＭ１５（対応コマンダ識別番号記憶部）に記憶される。
その後、Ｓ１１に移行する。
【００９３】
Ｓ１１において、Ｓ５で記憶された識別番号（すなわち、リモコン１０１にくくりつけされているコマンダ１０２の識別番号）と、Ｓ１０で取得された識別番号とが一致しているか判断する。すなわち、くくりつけされているコマンダ１０２と、Ｓ８で送信したコマンダ識別番号を受信したコマンダ１０２とが一致しているか否かを判断する。この処理は、Ｓ７で操作された操作内容に対応する操作信号を送信するコマンダ１０２を認証するためのものである。
【００９４】
識別番号同士が一致している場合は（Ｓ１１：ＹＥＳ）、正常なくくりつけの状態であると判断して、Ｓ１２に移行する。
Ｓ１２において、Ｓ７で操作された操作内容に対応する操作信号を、くくりつけの関係にあるコマンダ１０２に対して電波通信によって送信する。該操作信号には、リモコン識別番号を付加してもよい。
【００９５】
一方、識別番号同士が一致していない場合は（Ｓ１１：ＮＯ）、正常なくくりつけの状態ではないと判断して、Ｓ１３（図１３）に移行する。
Ｓ１３において、Ｓ５で記憶した識別番号に対応するコマンダ１０２（すなわち、リモコン１０１とくくりつけ状態にあるコマンダ１０２）に対し、該コマンダ１０２が有しているログイン情報の要求を示すログイン情報要求信号を電波通信で送信する。
【００９６】
Ｓ１４において、現時点でくくりつけ状態にあるコマンダ１０２にログイン情報があるか否かを判断する。この判断は、Ｓ１３で送信したログイン情報要求信号に応答してコマンダ１０２から送信された信号に基いて行われる。すなわち、該コマンダ１０２からログイン情報を受信した場合は、Ｓ１４の条件判断は「ＹＥＳ」となる。また、該コマンダ１０２からログイン情報を記憶していないことを示す情報を受信した場合は、Ｓ１４の条件判断は「ＮＯ」となる。
【００９７】
Ｓ１４において、ログイン情報がないと判断した場合は（Ｓ１４：ＮＯ）、Ｓ２０に移行する。一方、ログイン情報があると判断した場合は（Ｓ１４：ＹＥＳ）、Ｓ１５に移行する。
【００９８】
Ｓ１５において、ログイン情報を選択させるために所定の表示画面を表示部１６に出力する。これにより、表示部１６には、所定の選択画面が表示される。図１４は、選択画面のレイアウトの一例を示している。図１４に示す選択画面においては、コマンダ１０２に「Ａさん」、「Ｂさん」、「Ｃさん」、「Ｄさん」、「Ｅさん」というニックネームで５人のユーザが登録されており、該ニックネームが移動させるログイン情報として選択可能に表示されている。このとき、ユーザは、表示部１６がタッチパネルで構成されている場合は、所望のニックネームの箇所をタッチすることで選択することができる。また、リモコン１０１が有する物理的な操作子を用いて選択できるよう構成してもよい。
【００９９】
ニックネームが選択されると、パスワードを入力させるための入力画面が、表示部１６に表示される。図１５は、入力画面のレイアウトの一例を示している。ログイン情報が選択され、パスワードを受け付けると、Ｓ１６に移行する。なお、パスワードによる認証に代えて、指紋等の生体認証を行ってもよい。
【０１００】
説明を図１３に戻す。
Ｓ１６において、Ｓ５で記憶した識別番号に対応するコマンダ１０２（すなわち、リモコン１０１とくくりつけ状態にあるコマンダ１０２）に対し、ログイン情報の移動を指示するログイン情報移動指示信号を、電波通信を用いて送信する。ここで、ログイン情報移動指示信号には、「移動先のコマンダを特定するための情報」、「移動させるログイン情報を特定するための情報（例えば、歌唱者ＩＤ）」、「認証情報（例えば、パスワード）」が含まれている。
【０１０１】
Ｓ１７において、Ｓ１６の送信対象コマンダ１０２から通知信号を受信する。
Ｓ１８において、Ｓ１７で受信した通知信号に基いて、所定表示画面を表示部１６に出力する。通知信号が認証成功を示すものであった場合は、例えば、「ログイン情報の移動が完了しました」等のメッセージを表示することができる。また、「ＯＫ」ボタンを表示部１６に表示することができる。そして、入力操作があるまで処理が待機される。
一方、通知信号が認証失敗を示すものであった場合は、例えば、「△△さんの認証に失敗しました」等のメッセージを表示することができる。また、「再度パスワード入力」、「再度ログイン情報選択」等のボタンを表示部１６に表示することができる。そして、入力操作があるまで処理が待機される。
【０１０２】
Ｓ１９において、入力操作があったか否かを判断する。入力操作がない間は（Ｓ１９：ＮＯ）、処理はＳ１９で待機することになる。
上記「ＯＫ」ボタンの押下があった（すなわち、確認指示があった）と判断した場合は、Ｓ２０に移行する。また、上記「再度パスワード入力」または「再度ログイン情報選択」ボタンの押下があった（すなわち、再入力指示があった）と判断した場合は、Ｓ１５に戻る。
【０１０３】
Ｓ２０において、Ｓ５で記憶した識別番号に対応するコマンダ１０２（すなわち、リモコン１０１とくくりつけ状態にあるコマンダ１０２）に対し、くくりつけ解除を指示するくくりつけ解除指示信号を、電波通信を用いて送信する。
Ｓ２１において、対応コマンダ識別番号記憶部の内容をクリアし、また、くくりつけ情報記憶部の内容をクリアする。これにより、くくりつけ解除が完了する。
その後、Ｓ１に戻る。すなわち、新たなくくりつけを行うための動作をユーザに対し指示する。
【０１０４】
（コマンダ側の処理）
次に、コマンダ側の処理の詳細について説明する。
図１６は、コマンダ側の処理のフローチャートである。この処理を実行するためのプログラムは、コマンダ１０２のＣＰＵ２３によって実行される。また、この処理は、コマンダ１０２の起動中、繰り返し実行されるものである。
【０１０５】
まず、Ｓ３１において、リモコン識別番号を赤外線通信で受信したか否かが判断される。上記Ｓ３または上記Ｓ８の処理でリモコン１０１により送信されたリモコン識別番号を受信したときに、Ｓ３１の条件判断は「ＹＥＳ」となる。ここで、該リモコン識別番号を受信したコマンダ１０２は、Ｓ３の処理（くくりつけ動作の処理）で送信されたリモコン識別信号であるのか、Ｓ８の処理（コマンダ認証の処理）で送信されたリモコン識別信号であるのかについては認識していない。
【０１０６】
リモコン識別番号を赤外線通信で受信したと判断した場合は（Ｓ３１：ＹＥＳ）、Ｓ３２に移行する。一方、リモコン識別番号を赤外線通信で受信していないと判断した場合は（Ｓ３１：ＮＯ）、Ｓ３３に移行する。
【０１０７】
Ｓ３２において、自機（コマンダ１０２）のコマンダ識別番号を電波通信で送信する。このとき、ブロードキャスト通信によって該コマンダ識別番号を送信してもよい。また、受信したリモコン識別番号を併せて送信してもよい。
【０１０８】
Ｓ３３において、ユーザの操作に対応する操作信号を電波通信で受信したか否かを判断する。上記Ｓ１２の処理でリモコン１０１より送信された信号を受信したときに、Ｓ３３の条件判断は「ＹＥＳ」となる。
【０１０９】
ユーザの操作に対応する操作信号を電波通信で受信したと判断した場合は（Ｓ３３：ＹＥＳ）、Ｓ３４に移行する。
Ｓ３４において、受信した操作信号に基づく処理を実行する。このとき、例えば、楽曲の検索、リクエスト、ゲームの実行、所定の情報の提示、飲食の注文等、種々の処理が実行される。なお、ここでいう操作信号には、図１０の（１１）における「ログイン情報要求」に関する信号を含むものとする。
【０１１０】
一方、ユーザの操作に対応する操作信号を電波通信で受信していないと判断した場合は（Ｓ３３：ＮＯ）、Ｓ３５に移行する。
Ｓ３５において、ログイン情報の移動を指示する移動指示信号を電波通信で受信したか否かを判断する。上記Ｓ１６の処理でリモコン１０１より送信された信号を受信したとき、Ｓ３５の条件判断は「ＹＥＳ」となる。
【０１１１】
ログイン情報移動指示信号を電波通信で受信したと判断した場合は（Ｓ３５：ＹＥＳ）、Ｓ３６に移行する。Ｓ３６において、ログイン情報移動処理を行う。ログイン情報移動処理の詳細については後述する。
一方、ログイン情報移動指示信号を電波通信で受信していないと判断した場合は（Ｓ３５：ＮＯ）、Ｓ３７に移行する。
【０１１２】
Ｓ３７において、くくりつけ解除を指示するくくりつけ解除指示信号を電波通信で受信したか否かを判断する。上記Ｓ２０の処理でリモコン１０１より送信された信号を受信したとき、Ｓ３７の条件判断は「ＹＥＳ」となる。
【０１１３】
くくりつけ解除指示信号を電波通信で受信したと判断した場合は（Ｓ３７：ＹＥＳ）、Ｓ３８に移行する。
Ｓ３８において、ＲＡＭ２５の対応リモコン識別番号に記憶されているリモコン識別番号のうち、受信したくくりつけ解除指示信号に含まれるリモコン識別番号を消去する。これにより、コマンダＡは、リモコン１０１とのくくりつけが解除される。このとき、コマンダＡが、他のリモコン（例えば、リモコンＸＸＸ）とくくりつけ状態にある場合、該リモコンＸＸＸとのくくりつけは解除されない。
【０１１４】
一方、くくりつけ解除指示信号を電波通信で受信していないと判断した場合は（Ｓ３７：ＮＯ）、Ｓ３９に移行する。
【０１１５】
Ｓ３９において、ログイン情報登録を指示するログイン情報登録指示信号を電波通信で受信したか否かを判断する。後述するログイン情報移動処理において、他のコマンダより送信されたログイン情報登録指示信号を受信したとき、Ｓ３９の条件判断は「ＹＥＳ」となる。Ｓ３９の条件判断は、例えば、図１０においてコマンダＢがログイン情報登録指示信号を受信したとき（１８）に、「ＹＥＳ」となる。
【０１１６】
ログイン情報登録指示信号を電波通信で受信したと判断した場合は（Ｓ３９：ＹＥＳ）、Ｓ４０に移行する。
Ｓ４０において、受信したログイン登録指示信号に含まれる歌唱者ＩＤに対応するログイン情報を、自機のログイン情報記憶部に記憶（登録）する。このとき、該歌唱者ＩＤに対応する個人情報等は、管理サーバ３００から取得することもできる。
一方、ログイン情報登録指示信号を電波通信で受信していないと判断した場合は（Ｓ３９：ＮＯ）、Ｓ３１に戻る。
【０１１７】
次に、Ｓ３６で実行されるログイン情報移動処理について説明する。図１７は、ログイン情報移動処理のフローチャートである。
Ｓ４１において、被認証情報を生成し、生成した被認証情報を管理サーバ３００に送信する。被認証情報には、「Ｓ３５（図１６）で受信したログイン情報移動指示信号に含まれる歌唱者ＩＤ及びパスワード」、及び、「自機の識別番号」を含む。なお、被認証情報は、店舗サーバ２００を介して、管理サーバ３００に送信される。
【０１１８】
Ｓ４２において、管理サーバ３００から認証結果信号を受信する。
Ｓ４３において、Ｓ４２で受信した認証結果信号に基いて、認証成功か否かを判断する。認証成功であると判断した場合は（Ｓ４３：ＹＥＳ）、Ｓ４４に移行する。一方、認証成功ではない（すなわち、認証失敗である）と判断した場合は（Ｓ４３：ＮＯ）、Ｓ４６に移行する。
【０１１９】
Ｓ４４において、認証成功したユーザのログイン情報を移動させるためのログイン情報登録指示信号を、Ｓ３５（図１６）で受信したログイン情報移動指示信号に含まれる移動先コマンダ識別番号に対応するコマンダに対し、電波通信を用いて送信する。ログイン情報登録指示信号には、Ｓ３５（図１６）で受信したログイン情報移動指示信号が含まれている。
【０１２０】
Ｓ４５において、ログイン情報登録指示信号に含まれる歌唱者ＩＤに対応するログイン情報を、ＲＡＭ２５上のログイン情報記憶部から削除する。これにより、移動対象となる歌唱者ＩＤは、自機のコマンダから削除されることになる。
なお、Ｓ４１で送信した被認証情報に、複数のユーザを認証するための情報が含まれている場合は、Ｓ４４及びＳ４５の処理を、認証成功したユーザのログイン情報ごとに行ってもよく、また、認証成功したユーザのログイン情報に対して一括して行ってもよい。
【０１２１】
Ｓ４６において、通知信号をＳ３５（図１６）で受信したログイン情報移動指示信号の送信元のリモコンに対して、電波通信を用いて送信する。通知信号には、「認証成功」または「認証失敗」を示す情報、及び、「認証成功」の場合には、ログイン情報の移動が完了したことを示す情報が含まれる。
【０１２２】
次に、管理サーバ３００で実行される認証処理について説明する。図１８は、認証処理のフローチャートである。認証処理は、所定のタイミングごとに繰り返し実行される。
【０１２３】
Ｓ５１において、いずれかのコマンダから被認証情報を受信したか否かを判断する。被認証情報を受信したと判断した場合は（Ｓ５１：ＹＥＳ）、Ｓ５２に移行する。
一方、被認証情報を受信していないと判断した場合は（Ｓ５１：ＮＯ）、認証処理を終了する。
【０１２４】
Ｓ５２において、受信した被認証情報に基いて認証を行う。具体的には、歌唱者情報データベース３０３が参照され、該歌唱者情報データベース３０３に記憶されている認証情報と受信したパスワードとが一致するかどうかが判断される。
【０１２５】
Ｓ５３において、認証結果を示す認証結果信号を、上記被認証情報の送信元であるコマンダに送信する。このとき、認証結果信号には、「認証成功」または「認証失敗」を示す情報が含まれている。
【０１２６】
以上説明した第１実施形態によれば、赤外線通信を用いて、送信先のコマンダを認証し、認証できない場合に、リモコンとコマンダとの対応付けを解除するので、コマンダの誤動作を防止することができる。また一部のユーザがリモコンを持ったまま客室を移動したとしても、ユーザによって選択されたログイン情報のみを効率的に移動させることができる。
【０１２７】
［第２実施形態］
次に、本発明を具体化した一実施形態である第２実施形態について説明する。第２実施形態においては、移動させるログイン情報に係る歌唱者の認証を店舗サーバ２００で行う点が、上述した第１実施形態と異なる。
【０１２８】
第２実施形態においては、コマンダ１０２にログイン情報が登録されたときに、コマンダ１０２はその旨と、登録されたログイン情報の一部（例えば、歌唱者ＩＤ）とを店舗サーバ２００に通知する。そして、店舗サーバ２００は、管理サーバ３００から該歌唱者ＩＤの識別情報（パスワード）を取得して、記憶手段２０２に記憶する。
【０１２９】
リモコン１０１における処理は、上述した第１実施形態と同じであるので説明を省略する。コマンダ１０２における処理は、ログイン情報移動処理（図１７）のＳ４１において、被認証情報の送信先が、店舗サーバ２００となる点以外は、上述した第１実施形態と同じである。また、本実施形態において、店舗サーバ２００は、認証処理（図１８）を実行する。
【０１３０】
以上説明した第２実施形態によれば、赤外線通信を用いて、送信先のコマンダを認証し、認証できない場合に、リモコンとコマンダとの対応付けを解除するので、コマンダの誤動作を防止することができる。また一部のユーザがリモコンを持ったまま客室を移動したとしても、ユーザによって選択されたログイン情報のみを効率的に移動させることができる。また、ユーザの認証をカラオケ店舗内の店舗サーバで行うため、認証ごとに管理サーバに接続する必要がなくなり、認証処理のレスポンスを向上させることができる。
【０１３１】
［第３実施形態］
次に、本発明の一実施形態である第３実施形態について説明する。第３実施形態においては、移動させるログイン情報に係る歌唱者の認証をリモコンで行う点、及び、ログイン情報の移動処理をリモコンが主体となって行う点が、上述した第１実施形態及び第２実施形態と異なる。本実施形態においては、コマンダ１０２にログイン情報が登録されたときに、リモコン１０１側に、管理サーバ３００から取得された歌唱者ＩＤの識別情報（パスワード）が記憶される。なお、識別情報の取得に関する処理については説明を省略する。
【０１３２】
図１９は、本実施形態において、正常なくくりつけがなされていない場合に、リモコン１０１、コマンダＡ、コマンダＢとの間で送受信される情報の一例について示した図である。
【０１３３】
図１９において、（３１）、（３２）、（３３）、（３６）、（４１）、（４２）、（４３）については、上述した第１実施形態（図１０）における（１１）、（１２）、（１３）、（１９）、（２３）、（２４）、（２５）と同じであるので、説明を省略する。
【０１３４】
リモコン１０１は、リモコン１０１は、ユーザよりログイン情報の移動指示を受け付けると（３３）、入力されたパスワードと管理サーバ３００から取得したパスワードとが一致するか否かを判断することにより、歌唱者の認証を行う（３４）。
【０１３５】
リモコン１０１は、認証が成功した場合は、ログイン情報登録指示信号を、上記（７）で受信したコマンダの識別番号（図１９の例においては、コマンダＢの識別番号）を有するコマンダに対し、電波通信を用いて送信する。ログイン情報登録指示信号には、移動させるログイン情報が含まれる。
【０１３６】
リモコン１０１は、認証結果に応じた表示内容を表示部１６に出力する。具体的には、認証が成功しログイン情報の移動が完了したことを示す内容、または、認証が失敗しログイン情報の移動ができなかったことを示す内容を出力する。また、次の指示を促す表示内容を表示部１６に出力し、指示を受付可能な状態にする。例えば、「ＯＫ」、「再度パスワード入力」、「再度ログイン情報選択」等を指示するための操作を促し、該操作を受け付けるためのボタンを表示部１６に表示してもよい。
【０１３７】
リモコン１０１は、「再度パスワード入力」または「再度ログイン情報選択」に係る操作（すなわち、再入力要求信号）を受け付けると（３７）、上記（３３）に戻る（３８）。これにより、ユーザは、再度パスワードを入力したり、再度ログイン情報を選択したりすることができる。
【０１３８】
また、リモコン１０１は、「ＯＫ」に係る操作（すなわち、確認信号）を受け付けると（３７）、コマンダＡに対し、所定のログイン情報の削除を指示するためのログイン情報削除指示信号を、電波通信を用いて送信する（３９）。このとき、ログイン情報削除指示信号には、上記（３５）で送信したログイン情報移動指示信号に含まれる歌唱者ＩＤが含まれる。
【０１３９】
コマンダＡは、ログイン情報削除指示信号を受信すると、該ログイン情報削除指示信号に含まれる歌唱者ＩＤに対応するログイン情報を、ＲＡＭ２５上のログイン情報記憶部から削除する（４０）。
【０１４０】
（リモコン側の処理）
次に、本実施形態におけるリモコン側の処理について説明する。図２０は、リモコン側の処理のフローチャートの一部である。くくりつけが正常なくくりつけ状態にある場合の処理（図１１及び図１２）は、上述した第１実施形態と同じであるので、説明を省略する。
【０１４１】
識別番号同士が一致していない場合は（図１２のＳ１１：ＮＯ）、正常なくくりつけの状態ではないと判断して、Ｓ６１（図２０）に移行する。
Ｓ６１において、Ｓ５（図１１）で記憶した識別番号に対応するコマンダ１０２（すなわち、リモコン１０１とくくりつけ状態にあるコマンダ１０２）に対し、該コマンダ１０２が有しているログイン情報の要求を示すログイン情報要求信号を電波通信で送信する。
【０１４２】
Ｓ６２において、現時点でくくりつけ状態にあるコマンダ１０２にログイン情報があるか否かを判断する。この判断は、Ｓ６１で送信したログイン情報要求信号に応答してコマンダ１０２から送信された信号に基いて行われる。すなわち、該コマンダ１０２からログイン情報を受信した場合は、Ｓ６２の条件判断は「ＹＥＳ」となる。また、該コマンダ１０２からログイン情報を記憶していないことを示す情報を受信した場合は、Ｓ６２の条件判断は「ＮＯ」となる。
【０１４３】
Ｓ６２において、ログイン情報がないと判断した場合は（Ｓ６２：ＮＯ）、Ｓ６８に移行する。一方、ログイン情報があると判断した場合は（Ｓ６２：ＹＥＳ）、Ｓ６３に移行する。
【０１４４】
Ｓ６３において、ログイン情報を選択、及び、パスワードを入力させるために所定の表示画面を表示部１６に出力する（図１４及び図１５参照）。そして、ニックネーム（歌唱者ＩＤ）及びパスワードを受け付ける。
【０１４５】
Ｓ６４において、Ｓ６３で入力されたパスワードに基いた認証結果を判断する。認証は、Ｓ６３で入力されたパスワードと管理サーバ３００から取得したパスワードとが一致するか否かに基いて行われる。
【０１４６】
認証成功であると判断した場合は（Ｓ６４：ＹＥＳ）、Ｓ６５に移行する。一方、認証失敗であると判断した場合は（Ｓ６４：ＮＯ）、Ｓ６６に移行する。
Ｓ６５において、ログイン情報登録指示信号を、Ｓ１０（図１２）で取得された識別番号を有するコマンダに対し、電波通信を用いて送信する。
【０１４７】
Ｓ６６において、Ｓ６４の認証結果に基いて、所定表示画面を表示部１６に出力する。認証成功であった場合は、例えば、「ログイン情報の移動が完了しました」等のメッセージを表示することができる。また、「ＯＫ」ボタンを表示部１６に表示することができる。そして、入力操作があるまで処理が待機される。
一方、認証失敗であった場合は、例えば、「△△さんの認証に失敗しました」等のメッセージを表示することができる。また、「再度パスワード入力」、「再度ログイン情報選択」等のボタンを表示部１６に表示することができる。そして、入力操作があるまで処理が待機される。
【０１４８】
Ｓ６７において、入力操作があったか否かを判断する。入力操作がない間は（Ｓ６７：ＮＯ）、処理はＳ６７で待機することになる。
上記「ＯＫ」ボタンの押下があった（すなわち、確認指示があった）と判断した場合は、Ｓ６８に移行する。また、上記「再度パスワード入力」または「再度ログイン情報選択」ボタンの押下があった（すなわち、再入力指示があった）と判断した場合は、Ｓ６３に戻る。
【０１４９】
Ｓ６８において、Ｓ５で記憶した識別番号に対応するコマンダ１０２（すなわち、リモコン１０１とくくりつけ状態にあるコマンダ１０２）に対し、所定の歌唱者ＩＤのログイン情報（認証成功し、移動されたログイン情報に対応するもの）を削除することを指示するログイン情報削除指示信号を、電波通信を用いて送信する。
【０１５０】
Ｓ６９において、Ｓ５で記憶した識別番号に対応するコマンダ１０２（すなわち、リモコン１０１とくくりつけ状態にあるコマンダ１０２）に対し、くくりつけ解除を指示するくくりつけ解除指示信号を、電波通信を用いて送信し、また、対応コマンダ識別番号記憶部の内容をクリアし、また、くくりつけ情報記憶部の内容をクリアする。これにより、くくりつけ解除が完了する。
その後、Ｓ１に戻る。すなわち、新たなくくりつけを行うための動作をユーザに対し指示する。
【０１５１】
（コマンダ側の処理）
次に、本実施形態におけるコマンダ側の処理について説明する。図２１は、本実施形態におけるコマンダ側の処理のフローチャートである。Ｓ７１〜Ｓ７４及びＳ７７〜Ｓ８０の処理は、上述した第１実施形態のＳ３１〜Ｓ３４及びＳ３７〜Ｓ４０の処理と同じであるので、説明を省略する。
【０１５２】
ログイン情報削除指示信号を電波通信で受信したと判断した場合は（Ｓ７５：ＹＥＳ）、Ｓ７６に移行する。上記Ｓ６８（図２０）の処理でリモコン１０１より送信された信号を受信したとき、Ｓ７５の条件判断は「ＹＥＳ」となる。Ｓ７６において、受信したログイン情報削除指示信号に含まれる歌唱者ＩＤに対応するログイン情報を削除する。
一方、ログイン情報削除指示信号を電波通信で受信していないと判断した場合は（Ｓ７５：ＮＯ）、Ｓ７７に移行する。
【０１５３】
以上説明した第３実施形態によれば、赤外線通信を用いて、送信先のコマンダを認証し、認証できない場合に、リモコンとコマンダとの対応付けを解除するので、コマンダの誤動作を防止することができる。また一部のユーザがリモコンを持ったまま客室を移動したとしても、ユーザによって選択されたログイン情報のみを効率的に移動させることができる。また、ユーザの認証をカラオケ店舗内のリモコン側で行うため、認証ごとにサーバ（管理サーバまたは店舗サーバ）に接続する必要がなくなり、認証処理のレスポンスを向上させることができる。
【０１５４】
本発明は上述した実施形態に限定されるものではなく、本発明の要旨を逸脱しない範囲内で種々の改良、変形が可能であることはもちろんである。
【０１５５】
例えば、図２２に示すように、リモコン１０１が管理サーバ３００（または、店舗サーバ２００）に被認証情報を送信し（５４）、その後、ログイン情報登録指示信号を送信する（５７）よう構成してもよい。
また、図２３に示すように、リモコン１０１が管理サーバ３００（または、店舗サーバ２００）に被認証情報を送信（７４）し、その後、ログイン情報移動指示信号を送信する（７７）よう構成してもよい。
【０１５６】
以上説明したとおり、本発明によれば、赤外線通信を用いて、送信先のコマンダを認証し、認証できない場合に、リモコンとコマンダとの対応付けを解除するので、コマンダの誤動作を防止することができる。また一部のユーザがリモコンを持ったまま客室を移動したとしても、ユーザによって選択されたログイン情報のみを効率的に移動させることができる。また、赤外線及び電波の物理的特性を利用したカラオケ用無線通信システム、カラオケ用通信方法、カラオケ用リモコンを提供することができる。
【０１５７】
なお、上述した各フローチャートは単なる一例であり、該各フローチャートの処理と同等の結果を得ることできるものであれば、他のフローチャートによって処理を実現してもよい。
【０１５８】
また、上述カラオケ用リモコンにおける処理方法、上述したカラオケ用通信方法及び／またはカラオケ用リモコンにおける処理方法を実現するためのプログラム、該プログラムが記録された記録媒体としても本発明は実現可能である。
【図面の簡単な説明】
【０１５９】
【図１】受付にあるリモコンが、くくりつけ解除された後に１号室に貸し出される様子を示した図である。
【図２】１号室にあるリモコンが、１号室のコマンダのみ制御できる様子を示した図である。
【図３】１号室に貸し出されたリモコンが、受付に返却され、受付でくくりつけ解除が行われないまま、２号室に貸し出される様子を示した図である。
【図４】２号室にあるリモコンが、１号室のコマンダを制御してしまう様子を示した図である。
【図５】コマンダとリモコンのくくりつけ関係を示した図である。
【図６】１号室の一部のユーザが、リモコンを持ったまま２号室に移動した様子を示した図である。
【図７】カラオケシステムのネットワーク構成の一例を示した図である。
【図８】カラオケ装置のシステム構成の一例を示した図である。
【図９】リモコンとコマンダとの間で送受信される情報について示した図である。
【図１０】リモコン、コマンダ、管理サーバとの間で送受信される情報について示した図である。
【図１１】リモコン側の処理のフローチャートである。
【図１２】リモコン側の処理のフローチャートである。
【図１３】リモコン側の処理のフローチャートである。
【図１４】選択画面のレイアウトの一例を示した図である。
【図１５】入力画面のレイアウトの一例を示した図である。
【図１６】コマンダ側の処理のフローチャートである。
【図１７】ログイン情報移動処理のフローチャートである。
【図１８】認証処理のフローチャートである。
【図１９】リモコンとコマンダとの間で送受信される情報について示した図である。
【図２０】リモコン側の処理のフローチャートである。
【図２１】コマンダ側の処理のフローチャートである。
【図２２】リモコン、コマンダ、管理サーバとの間で送受信される情報について示した図である。
【図２３】リモコン、コマンダ、管理サーバとの間で送受信される情報について示した図である。
【符号の説明】
【０１６０】
１００    カラオケ装置
１０１    リモコン
１３    ＣＰＵ
１５    ＲＡＭ
１０２    コマンダ
２３    ＣＰＵ
２５    ＲＡＭ 
【図１】
0004835649.tif 000002
【図２】
0004835649.tif 000003
【図３】
0004835649.tif 000004
【図４】
0004835649.tif 000005
【図５】
0004835649.tif 000006
【図６】
0004835649.tif 000007
【図７】
0004835649.tif 000008
【図８】
0004835649.tif 000009
【図９】
0004835649.tif 000010
【図１０】
0004835649.tif 000011
【図１１】
0004835649.tif 000012
【図１２】
0004835649.tif 000013
【図１３】
0004835649.tif 000014
【図１４】
0004835649.tif 000015
【図１５】
0004835649.tif 000016
【図１６】
0004835649.tif 000017
【図１７】
0004835649.tif 000018
【図１８】
0004835649.tif 000019
【図１９】
0004835649.tif 000020
【図２０】
0004835649.tif 000021
【図２１】
0004835649.tif 000022
【図２２】
0004835649.tif 000023
【図２３】
0004835649.tif 000024